(57)【要約】【課題】合成樹脂から構成されていても防犯性及び防火性の高い樹脂サッシを提供する。【解決手段】上下枠２０、１０及び左右の縦枠３０、３０を方形状に枠組みして枠体１を構成し、枠体１に合成樹脂製の上下框５０、４０及び左右の縦框６０、６０からなる内外障子２、３を引き違い状に納めた樹脂サッシにおいて、縦框６０のうち内障子２と外障子３の互いに対向する召合せ框６４、６５は召合せ面にそれぞれ金属からなる煙返し部材７０、７０を備え、各煙返し部材７０、７０は互いに連係する連係部７１と召合せ框６４、６５に対する固定部７２とからなり、固定部７２は合成樹脂製のカバー体７４により覆われて構成される。【選択図】図２
2006022589.tif 000002
【特許請求の範囲】
【請求項１】
上下枠及び左右の縦枠を方形状に枠組みして枠体を構成し、該枠体に合成樹脂製の上下框及び左右の縦框からなる内外障子を引き違い状に納めた樹脂サッシにおいて、
上記縦框のうち上記内外障子の互いに対向する召合せ框は召合せ面にそれぞれ金属からなる煙返し部材を備え、該各煙返し部材は互いに連係する連係部と上記召合せ框に対する固定部とからなり、該固定部は合成樹脂製のカバー体により覆われていることを特徴とする樹脂サッシ。
【請求項２】
上記召合せ框は中空状に形成されて内部に金属補強材を有し、上記煙返し部材の固定部は上記召合せ框を介して上記金属補強材に対し固着されていることを特徴とする請求項１記載の樹脂サッシ。
【請求項３】
上記上下框及び左右の縦框はそれぞれ見付方向外端面に凹部を挟んで室内延出部及び室外延出部を有する略同形状に形成され、上記カバー体は上記召合せ框の凹部を覆う側面被覆部を一体的に有することを特徴とする請求項１または２に記載の樹脂サッシ。
【発明の詳細な説明】
【技術分野】
【０００１】
本発明は合成樹脂からなる枠体に内外障子を引き違い状に納めたサッシに関し、特に内外障子の召合せ框にそれぞれ煙返し部材を設けて互いに連係させた樹脂サッシに関する。
【背景技術】
【０００２】
従来から、上下枠及び左右の縦枠を合成樹脂により構成し、それらを方形状に枠組みしてなる枠体に障子を走行自在に納めた樹脂サッシが知られている。ここで、障子を構成する上下框及び左右の縦框も合成樹脂により構成すれば、枠体と障子を全て合成樹脂にて構成したサッシとすることができる。このような樹脂サッシとしては、例えば特許文献１に挙げるようなものがある。
【特許文献１】特開２００２−２１４３１号公報
【０００３】
樹脂サッシでは、特許文献１において開示されているように、内外障子の召合せ框にそれぞれ樹脂製の煙返し部材が設けられている。これらの煙返し部材は、互い違いとなるように設けられて、召合せ部分における気密性を確保する。
【発明の開示】
【発明が解決しようとする課題】
【０００４】
しかし、従来の樹脂サッシでは、煙返し部材に負荷がかかることは想定しておらず、したがって強度については特に考慮されていなかった。そのため、内外障子の召合せ部分に金属片等を差し込んで力を加えると、煙返し部材は容易に変形するので、防犯上問題があった。
【０００５】
また、従来の樹脂サッシにおける煙返し部材は、火災発生時に高温により容易に溶けてしまうので、これによって生じた内外障子の隙間から火炎が室内に侵入しやすいとの問題点も有していた。
【０００６】
本発明は、上記課題を解決すべくなされたものであり、合成樹脂から構成されていても防犯性及び防火性の高い樹脂サッシを提供することを目的とする。
【課題を解決するための手段】
【０００７】
上記課題を解決するため、本発明に係る樹脂サッシは、上下枠及び左右の縦枠を方形状に枠組みして枠体を構成し、該枠体に合成樹脂製の上下框及び左右の縦框からなる内外障子を引き違い状に納めた樹脂サッシにおいて、
上記縦框のうち上記内障子と外障子の互いに対向する召合せ框は召合せ面にそれぞれ金属からなる煙返し部材を備え、該各煙返し部材は互いに連係する連係部と上記召合せ框に対する固定部とからなり、該固定部は合成樹脂製のカバー体により覆われていることを特徴として構成されている。
【０００８】
また、本発明に係る樹脂サッシは、上記召合せ框は中空状に形成されて内部に金属補強材を有し、上記煙返し部材の固定部は上記召合せ框を介して上記金属補強材に対し固着されていることを特徴として構成されている。
【０００９】
さらにまた、本発明に係る樹脂サッシは、上記上下框及び左右の縦框はそれぞれ見付方向外端面に凹部を挟んで室内延出部及び室外延出部を有する略同形状に形成され、上記カバー体は上記召合せ框の凹部を覆う側面被覆部を一体的に有することを特徴として構成されている。
【発明の効果】
【００１０】
本発明に係る樹脂サッシによれば、召合せ框は召合せ面にそれぞれ金属からなる煙返し部材を備え、各煙返し部材は互いに連係する連係部と召合せ框に対する固定部とからなることにより、煙返し部材の強度を十分に確保することができて、防犯性及び防火性を高めることができる。また、金属からなる煙返し部材を樹脂からなるカバー体により覆っていることにより、煙返し部材の強度を確保しつつも金属部分を隠して樹脂サッシ全体の意匠性を向上させると共に、断熱性も確保することができる。
【００１１】
また、本発明に係る樹脂サッシによれば、召合せ框は中空状に形成されて内部に金属補強材を有し、煙返し部材の固定部は召合せ框を介して金属補強材に対し固着されていることにより、煙返し部材を金属からなる補強材に強固に固定することができるので、煙返し部材の取付強度を向上させ、より防犯性及び防火性の高い樹脂サッシとすることができる。
【００１２】
さらにまた、本発明に係る樹脂サッシによれば、カバー体は召合せ框の凹部を覆う側面被覆部を一体的に有することにより、召合せ框の室内側に露出する部分を一体化にカバーすることができるので、カバー体の製造コスト及び取付コストを抑えることができる。
【発明を実施するための最良の形態】
【００１３】
本発明の実施形態について図面に沿って詳細に説明する。図１は本実施形態における樹脂サッシの縦断面図、図２は樹脂サッシの横断面図である。これら各図において、本実施形態における樹脂サッシは、建物開口部に装着された合成樹脂製の下枠１０、上枠２０、及び縦枠３０、３０からなる樹脂枠体１内に、合成樹脂製の下框４０、上框５０、及び縦框６０、６０を框組みした框体５にガラス体６を納めてなる内障子２及び外障子３を引き違い状で走行自在となるように納めると共に、外障子３の室外側に網戸４を納めてなるものである。
【００１４】
樹脂枠体１を構成する下枠１０、上枠２０、及び縦枠３０は、いずれも合成樹脂により中空状に形成されている。これらの各端部はそれぞれ傾斜状に形成されており、端部同士を突き合わせて溶着させることで、樹脂枠体１を方形状に枠組みする。
【００１５】
下枠１０は、上面が段差を有するように形成されており、その段差の室内側及び室外側にそれぞれ突出状の基部１１、１１が形成されている。これら基部１１、１１の上部には金属からなるレール部材１２、１２が取付けられる。レール部材１２は、その上面に凸部１３を有しており、この凸部１３上に内障子２及び外障子３の下端に設けられる戸車４４を戴置することで、各障子を走行自在としている。また、下枠１０の上面における室外端部には網戸レール１４が形成されており、網戸４を走行自在としている。
【００１６】
上枠２０は、対向する下枠１０の各基部１１、１１に対応した位置にそれぞれ上レール２１、２１を有している。これら室内外の上レール２１、２１によって、内障子２及び外障子３がその走行に伴って案内される。また、上枠２０の室外端部には、網戸４を案内するための網戸レール２２が形成されている。
【００１７】
框体５を構成する下框４０、上框５０、及び縦框６０は、いずれも合成樹脂により中空状に形成されている。また、下框４０、上框５０、及び縦框６０のいずれも断面形状が略同形状となるように形成されている。下框４０は、中空内部に略適合する形状であって金属から構成される補強材４３を有すると共に、この補強材４３に戸車４４を取付けて内障子２及び外障子３を走行自在とする。
【００１８】
また、上框５０と縦框６０も中空内部にそれぞれ金属からなる補強材５３、６３を有する。これらについても、中空部の形状に略適合する形状に形成されている。各補強材４３、５３、６３は、それぞれ下框４０、上框５０、縦框６０の強度を確保し、変形等を防ぐ役割を果たしている。
【００１９】
補強材４３、５３、６３を内部に有する下框４０、上框５０、縦框６０は、端部をそれぞれ傾斜状に形成されており、端部同士を突き合わせて溶着させることで、框体５を形成する。なお、各框を溶着するのではなく、ボルト固定により各框を連結して框体５を形成するようにしてもよい。
【００２０】
上述のように、下框４０と上框５０及び縦框６０はそれぞれ略同じ形状に形成される。各框の見付方向内端部には、ガラス体６を納めるための構造が形成されている。一方、各框の見付方向外端部には、それぞれ延出部が形成されている。下框４０の見付方向外端部には、室内側に室内延出部４１が、室外側に室外延出部４２がそれぞれ形成されている。また、上框５０の見付方向外端部には、室内側に室内延出部５１が、室外側に室外延出部５２がそれぞれ形成されている。さらに、縦框６０の見付方向外端部には、室内側に室内延出部６１が、室外側に室外延出部６２がそれぞれ形成されている。
【００２１】
図３には、内障子２と外障子３の召合せ部分における拡大図を示している。内障子２と外障子３それぞれにおける左右の縦框６０、６０のうち、内障子２の内召合せ框６４と外障子３の外召合せ框６５は、召合せ面６４ａ、６５ａによって互いに対向している。これら各召合せ面６４ａ、６５ａには、それぞれ煙返し部材７０、７０が設けられている。
【００２２】
煙返し部材７０は、内障子２と外障子３を閉じた状態で互いに連係し、障子の召合せ部分の気密性を確保するためのものである。また、煙返し部材７０は、アルミ等の金属からなり、他方の煙返し部材７０と互いに連係する連係部７１と、召合せ框６４、６５に対して固定するための固定部７２とから構成されている。
【００２３】
連係部７１は、断面略Ｌ字状に形成され、その先端部が内召合せ框６４の煙返し部材７０と外召合せ框６５の煙返し部材７０とで互い違いとなるように重合状に連係される。外召合せ框６５に固定される煙返し部材７０の連係部７１には、タイト材７１ａが設けられており、内召合せ框６４に固定される煙返し部材７０の連係部７１の先端をこのタイト材７１ａに当接させることで、気密性をより強く確保している。
【００２４】
固定部７２は、連係部７１から連続して薄板状に形成されており、適所で内召合せ框６４または外召合せ框６５に対してビス７３により固着される。なお、ビス止めの代わりにねじ止めにより固着を行ってもよい。
【００２５】
また、内召合せ框６４及び外召合せ框６５の中空内部には、補強材６３とは別の領域にアルミ等の金属からなる固定補強材７５を設けてある。固定補強材７５は、断面略コ字状に形成されており、この固定補強材７５を召合せ面６４ａ、６５ａの内面側に当接させ、煙返し部材７０の固定部７２を召合せ面の外面側に当接させることで、召合せ框６５を介して煙返し部材７０と固定補強材７５をビス７３により固着する。
【００２６】
煙返し部材７０は、金属から構成されているので、連係部７１の強度を確保し、強固な連係をさせることができて、気密性を高めることができる。また、金属から構成されることによって強度を十分に確保することができるので、障子の召合せ部分に金属片等を差し込んでも容易に変形することがなく、防犯性の高い樹脂サッシとすることができる。特に、金属からなる固定補強材７５に対して固定部７２を固着するので、取付強度をより一層高くすることができる。さらに、この煙返し部材７０は火災の際に容易に溶けることがないので、火炎の侵入を防ぐ防火性にも優れた樹脂サッシとすることができる。
【００２７】
煙返し部材７０の固定部７２は、カバー体７４により覆われている。カバー体７４は合成樹脂からなり、断面略Ｌ字状に形成される。カバー体７４は、煙返し部材７０の固定部７２の略全面を覆うと共に、内召合せ框６４及び外召合せ框６５の見付方向外端面に形成された室内延出部６１と室外延出部６２を覆う側面被覆部７４ａを一体的に有している。
【００２８】
内召合せ框６４及び外召合せ框６５の見付方向外端面は、室内延出部６１と室外延出部６２により凹部６６が形成されており、そのままでは室内側に凹部６６が露出してサッシの意匠性を損なう。そこで、側面被覆部７４ａにより室内延出部６１と室外延出部６２を覆うことで、この凹部６６も覆うことができて、それによって内召合せ框６４及び外召合せ框６５の見付方向外端面を平面状とし、意匠性を向上させることができる。側面被覆部７４ａは、凹部６６に対して係止固定される。
【００２９】
内召合せ框６４の見付方向外端面には、クレセント８０が取付けられている。クレセント８０は、見込方向に所定の大きさを有しているので、凹部６６が露出したままでは取付けることができない。しかし、凹部６６はカバー体７４の側面被覆部７４ａにより覆われていることにより、クレセント８０はカバー体７４に対して取付けることができ、所定の位置にクレセント８０を容易に取付けることができる。
【００３０】
また、カバー体７４において煙返し部材７０の固定部７２を覆っている部分には、対向する他方の召合せ面に向かって突出する突出片７４ｂ、７４ｂが設けられている。突出片７４ｂ、７４ｂの各先端部は、対向する他方の召合せ面に当接しており、これらによっても気密性の確保がなされている。なお、突出片７４ｂは、軟質に形成されており、内障子２や外障子３の走行に伴って容易に変形することができるため、走行の抵抗とならず、しかも対向する召合せ面に傷を付けたりすることがない。
【００３１】
図４には、内召合せ框６４に取付ける各部材の分解図を示している。この図に示すように、内召合せ框６４の召合せ面６４ａには、金属からなる煙返し部材７０をビス７３により取付け、その煙返し部材７０と内召合せ框６４の室内延出部６１及び室外延出部６２を覆うように、樹脂製のカバー体７４を凹部６６に対して係止固定する。さらに、カバー体７４に対してクレセント８０を固定し、内召合せ框６４に各部材が取付けられた状態となる。
【００３２】
次に、本発明の第２の実施形態について説明する。図５には、本実施形態における内障子２と外障子３の召合せ部分付近の拡大図を示す。第１の実施形態では、通常の窓タイプのサッシを対象としていたが、本実施形態では、テラスタイプのサッシを対象としている。本実施形態の樹脂サッシは、基本的な構成については第１の実施形態の樹脂サッシと同様である。すなわち、合成樹脂からなる樹脂枠体１内に、合成樹脂からなる框体５にガラス体６を納めてなる内障子２及び外障子３を、引き違い状であって走行自在に納めている。
【００３３】
本実施形態の樹脂サッシが第１の実施形態の樹脂サッシと異なるのは、図５に示すように、内召合せ框６４及び外召合せ框６５の見付方向幅が大きいことである。それに伴って、各框６４、６５の中空部分が大きく形成されており、したがってその形状に適合するように形成される補強材６３も見付方向幅が大きく形成されている。
【００３４】
一方、召合せ面に固定される煙返し部材７０は、第１の実施形態と同じサイズに形成されている。外召合せ框６５に取付けられる煙返し部材７０は、外召合せ框６５の見付方向外端部に配置され、第１の実施形態と同様に補強材６３とは別に設けられている固定補強材７５に対してビス７３により固着される。内召合せ框６４に取付けられる煙返し部材７０は、外召合せ框６５の煙返し部材７０と連係することができるように、内召合せ框６４の見付方向外端部よりも内側寄りに配置され、第１の実施形態とは異なり補強材６３に対してビス７３により固着される。いずれにしても、煙返し部材７０は金属からなる補強材６３または固定補強材７５にビス止めされるので、煙返し部材７０の取付強度を十分に確保することができる。
【００３５】
また、煙返し部材７０には合成樹脂からなるカバー体７４が取付けられる。このカバー体７４も第１の実施形態と同様のものである。そのため、外召合せ框６５の見付方向外端部に固定される煙返し部材７０に対しては、その固定部７２の略全面を覆うことができる。一方で、内召合せ框６４の見付方向外端部よりも内側寄りに配置される煙返し部材７０に対しては、その固定部７２の約半分の面を覆うことができる。どちらのカバー体７４も、略Ｌ字状に形成されていることから、内召合せ框６４及び外召合せ框６５の見付方向外端面の凹部６６を覆って、かつクレセント８０を取付けることができるようにされている。
【００３６】
これまで本発明の実施形態について説明したが、本発明の適用はこの実施形態には限られず、その技術的思想の範囲内において様々に適用されうるものである。
【図面の簡単な説明】
【００３７】
【図１】本実施形態における樹脂サッシの縦断面図である。
【図２】本実施形態における樹脂サッシの横断面図である。
【図３】本実施形態における内外障子の召合せ部分付近の縦断面図である。
【図４】内召合せ框に取付けられる各部材の分解図である。
【図５】第２の実施形態における内外障子の召合せ部分付近の縦断面図である。
【符号の説明】
【００３８】
１    樹脂枠体
２    内障子
３    外障子
４    網戸
５    框体
６    ガラス体
１０    下枠
２０    上枠
３０    縦枠
４０    下框
５０    上框
６０    縦框
６１    室内延出部
６２    室外延出部
６３    補強材
６４    内召合せ框
６５    外召合せ框
６６    凹部
７０    煙返し部材
７１    連係部
７２    固定部
７３    ビス
７４    カバー体
７４ａ  側面被覆部
７４ｂ  突出片
７５    固定補強材
【図１】
2006022589.tif 000003
【図２】
2006022589.tif 000004
【図３】
2006022589.tif 000005
【図４】
2006022589.tif 000006
【図５】
2006022589.tif 000007